(57)【要約】【課題】メンテナンスのための手間に要する人件費、電気料金などのランニングコストおよび装置の価格を含む廃棄物の処理コスト等の削減を可能にし、且つ裁断・収容処理能力も向上可能な廃棄物処理装置を提供する。【解決手段】廃棄物を裁断する裁断装置２と、裁断した廃棄物を収容する収納ボックス３とをトラックの荷台に搭載すると共に、両者２、３を直線状のスクリューコンベア４を介して接続し、このスクリューコンベア４を経て、裁断装置２で細かく裁断した廃棄物を収納ボックス３へ均等圧縮状にして移送できるようにする。裁断装置２は、ロータ周面に軸方向に沿って蛇腹状に並設した環状の各頂点に複数のカッター刃Ｐを設け、互いに隣接する頂点のカッター刃Ｐそれぞれは互いに位相をずらして配置し、スクリューコンベア４の収納ボックス３内における一端側は、回転翼４ａの一部を逆向きに形成する。【選択図】図１
2009172542.tif 000002
【特許請求の範囲】
【請求項１】
廃棄物を小片状に裁断する裁断装置と、小片状に裁断された廃棄物を収容する収納ボックスとをトラックの荷台に搭載すると共に、前記裁断装置と収納ボックスとを直線状のスクリューコンベアを介して連結し、このスクリューコンベアを経て、裁断装置で小片状に裁断された廃棄物を収納ボックスへ均等圧縮状にして移送させるようにしたことを特徴とする廃棄物処理装置。
【請求項２】
裁断装置は、ロータ周面に軸方向に沿って蛇腹状に並設された各頂点に複数のカッター刃が設けられ、互いに隣接する頂点のカッター刃それぞれは互いに位相をずらして配置されてなる請求項１記載の廃棄物処理装置。
【請求項３】
ロータの両端側における受刃の位置は、カッター刃の位置を避けるようにして斜めに配置してなる請求項２記載の廃棄物処理装置。
【請求項４】
スクリューコンベアの収納ボックス内における一端側は、当該スクリューコンベアの回転翼の一部を逆向きに形成してなる請求項１乃至３のいずれかに記載の廃棄物処理装置。
【発明の詳細な説明】
【技術分野】
【０００１】
本発明は、小型トラック等の車両に搭載可能な廃棄物処理装置に関する。
【背景技術】
【０００２】
近年、企業などで発生する書類などの廃棄物には各種機密情報などが多く含まれていることから、所謂シュレッダー等の裁断装置による裁断処理は欠かせないものとなっている。
ところが、このような廃棄物が大量に発生すればするほど多数の裁断装置の設置が必要になり、保管スペースを広くとらなければならないことから、また、この裁断装置によって細かく裁断された大量の廃棄物は自社内で処分することが難しいことから、専門の廃棄物処理業者に処理を委託することが多い。委託された廃棄物処理業者は廃棄物を所定の焼却施設に持ち込みそのまま焼却処理するか、あるいは再生紙などにリサイクルするリサイクル業者へ売却する。
【０００３】
従来では、例えば特許文献１に開示されているように、専門の廃棄物処理業者側にて、このような裁断装置を小型トラック等の車両に搭載することで、各企業からの委託による廃棄処理を可能にした廃棄物処理装置搭載トラックなる技術が提案されている。すなわち、この廃棄物処理装置搭載トラックは、当該トラックの荷台に、書類などの廃棄物を細かく裁断する裁断装置と、細かく裁断された廃棄物を固形物に圧縮する固形圧縮装置とをそれぞれ搭載すると共に、両装置駆動用の電気を供給する発電装置を搭載し、前記裁断装置と固形圧縮装置とをフレキシブルなスクリューコンベアを介して連結し、このスクリューコンベアを経て裁断装置で細かく裁断された廃棄物を固形圧縮装置へ移送させるようにしている。
【０００４】
この技術により、企業などが自社で廃棄物を裁断処理する裁断装置の設置が不用となり、廃棄物の処理コストを大幅に低下させることが可能で、かつ廃棄物に含まれる機密情報などが第三者に漏れるおそれのない状態で処理することができるものとなっている。
【０００５】
而して、この廃棄物処理装置搭載トラックにおける裁断装置は、上方に廃棄物の投入用のホッパーを有し、下方に当該廃棄物を細切りする回転刃、その駆動装置などからなる処理部を備えている。
【０００６】
この場合、従来における回転刃としては、図６、図８に示すように、一軸性のロータＲの直線上に沿った両端側に受刃Ｇを設けてあり、またロータＲ周面に軸方向に沿って蛇腹状に並設された断面略三角形状の１４個の各頂点Ｑにはそれぞれ１個の切込み部Ｑ１を介してカッター刃Ｐがネジ止め固定されている。このカッター刃Ｐの配置としては、図７の展開図に示すように、１４個の切込み部Ｑ１が各頂点にわたってＶ字状に並んで配置されており、ロータＲの回転に際し、各切込み部Ｑ１に配されたカッター刃Ｐで廃棄物を細切状に裁断させるものとしてある。
【特許文献１】実用新案登録第３１１２８７９号公報
【発明の開示】
【発明が解決しようとする課題】
【０００７】
しかしながら、従来においては、細かく裁断された廃棄物を固形物に圧縮するための固形圧縮装置を使用しているため、メンテナンスのための手間に要する人件費、電気料金などのランニングコストおよび装置の価格を含む廃棄物の処理コスト等を十分に削減することが困難となっている。
【０００８】
しかも、上記した固形圧縮装置を搭載可能なトラックは２トン車よりも大型なトラックに限られてしまい、２トン車等の小型トラックには搭載不可能であることから、各企業からの委託による移動範囲も、例えば、交通規制等によって限られてしまい、各企業からの委託の引き受けが困難となる虞がある。
【０００９】
また、従来における回転刃は、１４個のカッター刃Ｐが各頂点にわたってＶ字状に並んで配置され、ロータＲの回転により各カッター刃Ｐで廃棄物を細切状に裁断されることから、裁断後の廃棄物の収容処理能力が十分に上がらないものとなっている。
【００１０】
そこで、本発明は、叙上のような従来存した諸事情に鑑み案出されたもので、従来の固形圧縮装置の使用を無くすことで、メンテナンスのための手間に要する人件費、電気料金などのランニングコストおよび装置の価格を含む廃棄物の処理コスト等を十分に削減することが可能となると同時に、２トン車等の小型トラックに搭載可能となることから、各企業からの委託による移動範囲の規制にも容易に対応でき、したがって各企業からの委託の引き受けも迅速に行えるものとし、また、裁断後の廃棄物の収容処理能力を大幅に向上させることができる廃棄物処理装置を提供することを目的とする。
【課題を解決するための手段】
【００１１】
上述した課題を解決するため、本発明にあっては、廃棄物を小片状に裁断する裁断装置と、小片状に裁断された廃棄物を収容する収納ボックスとをトラックの荷台に搭載すると共に、前記裁断装置と収納ボックスとを直線状のスクリューコンベアを介して連結し、このスクリューコンベアを経て、裁断装置で小片状に裁断された廃棄物を収納ボックスへ均等圧縮状にして移送させるようにしたことを特徴とする。
【００１２】
また、裁断装置は、ロータ周面に軸方向に沿って蛇腹状に並設された各頂点に複数のカッター刃が設けられ、互いに隣接する頂点のカッター刃それぞれは互いに位相をずらして配置されてなる。
【００１３】
そして、ロータの両端側における受刃の位置は、カッター刃の位置を避けるようにして斜めに配置してなる。
【００１４】
さらに、スクリューコンベアの収納ボックス内における一端側は、当該スクリューコンベアの回転翼の一部を逆向きに形成してなる。
【発明の効果】
【００１５】
本発明によれば、従来の固形圧縮装置の使用を無くすことで、メンテナンスのための手間に要する人件費、電気料金などのランニングコストおよび装置の価格を含む廃棄物の処理コスト等を十分に削減することが可能となると同時に、２トン車等の小型トラックに搭載可能となることから、各企業からの委託による移動範囲の規制にも容易に対応でき、したがって各企業からの委託の引き受けも迅速に行えるものとし、また、裁断後の廃棄物の収容処理能力を大幅に向上させることができる。
【００１６】
すなわち、本発明は、廃棄物を小片状に裁断する裁断装置と、小片状に裁断された廃棄物を収容する収納ボックスとをトラックの荷台に搭載すると共に、前記裁断装置と収納ボックスとを直線状のスクリューコンベアを介して連結し、このスクリューコンベアを経て、裁断装置で小片状に裁断された廃棄物を収納ボックスへ均等圧縮状にして移送させるようにしたので、従来の固形圧縮装置の使用によるメンテナンスのための手間に要する人件費、電気料金などのランニングコストおよび装置の価格を含む廃棄物の処理コスト等を削減することを可能にした。これと同時に、２トン車等の小型トラックに搭載可能となり、各企業からの委託による移動範囲の規制にも容易に対応でき、したがって各企業からの委託の引き受けも迅速に行えるものである。
【００１７】
また、裁断装置は、ロータ周面に軸方向に沿って蛇腹状に並設された各頂点に複数のカッター刃が設けられ、互いに隣接する頂点のカッター刃それぞれは互いに位相をずらして配置されてなるので、裁断後の廃棄物の収納ボックス内への収容処理能力を向上させることができるものである。
【００１８】
そして、ロータの両端側における受刃の位置は、カッター刃の位置を避けるようにして斜めに配置してなるので、互いに位相のずれた複数のカッター刃を、受刃によって邪魔されずにロータの各頂点に容易に形成することができるものである。
【００１９】
さらに、スクリューコンベアの収納ボックス内における一端側は、当該スクリューコンベアの回転翼の一部を逆向きに形成してなるので、切断後の廃棄物を収納ブックス内で均等圧縮状にして蓄積収容することができるものである。
【発明を実施するための最良の形態】
【００２０】
以下、図面を参照して本発明に係わる廃棄物処理装置を実施するための最良の一形態を詳細に説明する。
【００２１】
図面に示される符号１は、例えば２トン車等の小型トラックの荷台に搭載可能とした廃棄物処理装置であって、該廃棄物処理装置１は、図１に示すように、廃棄物を小片状に裁断するための所謂シュレッダーと称する裁断装置２と、小片状に裁断された廃棄物を収容するための収納ボックス３とを中間ケース５によって連結され、該中間ケース５内を貫装する直線状のスクリューコンベア４を介して、裁断装置２、収納ボックス３それぞれが接続されている。このとき、裁断装置２、収納ボックス３それぞれの下端側には、スクリューコンベア４の各一端側が挿入配置される。
【００２２】
図１に示すように、このスクリューコンベア４の収納ボックス３内における一端側は、当該スクリューコンベア４の回転翼４ａの一部を逆向きに形成してある。そして、スクリューコンベア４の一端に連結されたモータＭの駆動によって当該スクリューコンベア４が一方向に回転し、裁断装置２で小片状に裁断された廃棄物を収納ボックス３内側へ移送させることで均等圧縮状にして蓄積収容されるものとしてある。
【００２３】
裁断装置２は、上方に廃棄物の投入用のホッパーを有し、下方に当該廃棄物を細切りする回転刃、その駆動装置などからなる処理部を備えている。これらホッパーはおよび処理部は、段ボールに入れた紙などの廃棄物を段ボールごと投入処理できるサイズおよび機能を有するように構成するのが望ましい。
【００２４】
また、図２に示すように、裁断装置２の処理部に配された円柱状のロータＲの周面には例えば断面略直角三角形状の複数の回転刃が軸方向に沿って蛇腹状に並設されおり、各回転刃には幅員約８ｍｍ程度の帯面状となった１４個の頂点Ｑが設けられている。例えば、回転刃は直角の環状溝Ｓを介して例えば４０ｍｍ間隔となって並設されており、当該各頂点Ｑには、その周回上に沿って例えば角度１８０度位置に切込み部Ｑ１が凹設されている。
【００２５】
尚、図２においては、代表的なカッター刃Ｐの切込み部Ｑ１の一つだけが中央に示してある。また、ロータＲの両端側における受刃Ｇの位置は、直線上に沿って配置されている。
【００２６】
そして、図４および図５に示すように、この切込み部Ｑ１内には角形状のカッター刃Ｐが押さえ具６によって固定されていることで、合計２８個のカッター刃ＰがロータＲの周面に配置形成される。
【００２７】
これら切込み部Ｑ１に備えたカッター刃Ｐの具体的な配置例としては、例えば、図３に示すように、互いに隣接する頂点Ｑの各２つのカッター刃Ｐ同士が、例えば、角度６０度だけ互いに位相をずらして配置形成されている。尚。これらカッター刃Ｐの合計数や、位相ずれのための設定角度は、本発明を何等限定するものではなく、これら合計数、設定角度を他の数値に置き換えても良いことは勿論である。
【００２８】
また、図３に示す展開図においては、ロータＲの両端側における受刃Ｇの位置が、合計２８個のカッター刃Ｐの位置を避けるように回転軸に対して略斜め方向に沿って対向配置されている。これにより、互いに位相のずれた複数のカッター刃Ｐが受刃Ｇによって邪魔されずにロータＲの各頂点Ｑに配置可能となるようにしてある。
【００２９】
こうして廃棄物は細くても従来の略半分の長さに短く裁断されること、およびカッター刃Ｐの個数の倍増との両面から、裁断後の廃棄物の収納ボックス３内への収容処理能力を大幅に向上させている。
【００３０】
次に、以上のように構成された本発明廃棄物処理装置の最良の形態についての使用、動作の一例について詳細に説明する。
【００３１】
先ず、本発明廃棄物処理装置１を荷台に搭載した例えば２トン車等のトラックで委託先企業などへ出向き、トラックを所定の位置に停車させる。
【００３２】
この状態で企業などから廃棄物を集荷し、トラックの停止位置まで持ち込み、そのままトラックの荷台に搭載された裁断装置２のホッパー内へ投入する（図１参照）。この際、既述したように構成することで、ダンボールに入れた廃棄物はダンボールごとホッパー内へ投入することができる。
【００３３】
こうして裁断装置２のホッパー内に投入された廃棄物は、図３乃至図５に示すように、その下方に配置された処理部におけるロータＲの互いに位相をずらして配置されたカッター刃Ｐで裁断処理されて短冊小片状の廃棄物に細切りされ、スクリューコンベア４を介して収納ボックス３内へ移送される。
【００３４】
このとき、図１に示すように、スクリューコンベア４の収納ボックス３内における一端側は、当該スクリューコンベア４の回転翼４ａの一部を逆向きに形成してあることから、スクリューコンベア４の一端に連結されたモータＭの駆動によって当該スクリューコンベア４が一方向に回転した際には、裁断装置２で小片状に裁断された廃棄物は収納ボックス３内へ均等圧縮状にして蓄積収容される。
【００３５】
そして、このように収納ボックス３内で圧縮成形された固形状の廃棄物は、このまま古紙業者へ持ち込むことができる。さらに、古紙業者は提携する製紙工場へ持ち込んでトイレットペーパーなどに再生することができる。
【００３６】
一方、固形状の廃棄物が固形燃料の場合は、工場、ゴミ処理場、燃料店などに、また、産業廃棄物の場合には、産業廃棄物の収集運搬車として中間処理業者等へ持ち込むことができる。
【図面の簡単な説明】
【００３７】
【図１】本発明を実施するための最良の形態における廃棄物処理装置の概略を示す構成図である。
【図２】同じく裁断装置の処理部におけるロータの側面図である。
【図３】同じくロータの展開図である。
【図４】同じく展開されたロータの頂点に配置されたカッター刃の一例を示す拡大された斜視図である。
【図５】同じくロータの頂点に配置されたカッター刃の一例を示す拡大された斜視図である。
【図６】従来例におけるロータの側面図である。
【図７】従来例のけるロータの展開図である。
【図８】従来例における受刃とカッター刃の配置関係を示す断面図である。
【符号の説明】
【００３８】
Ｐ    カッター刃
Ｑ    頂点
Ｑ１  切込み部
Ｒ    ロータ
Ｇ    受刃
Ｓ    環状溝
Ｍ    モータ
１    廃棄物処理装置
２    裁断装置
３    収納ボックス
４    スクリューコンベア
４ａ  回転翼
５    中間ケース
６    押さえ具
【図１】
2009172542.tif 000003
【図２】
2009172542.tif 000004
【図３】
2009172542.tif 000005
【図４】
2009172542.tif 000006
【図５】
2009172542.tif 000007
【図６】
2009172542.tif 000008
【図７】
2009172542.tif 000009
【図８】
2009172542.tif 000010